(57)【要約】【課題】ポケットにおける隅部の回りに作用する曲げモーメントを低減することができるころ保持器及びこれを備えたスラストころ軸受を提供する。【解決手段】ころ保持器５において、所定の間隔をもって内外周で互いに並列する一対の円環部５０，５１、及び一対の円環部５０，５１を連結してその中心軸線の回りに並列する複数の連結部５２を有し、スラストころを転動可能に保持するポケット５３を一対の円環部５０，５１及び複数の連結部５２によって形成してなる保持器本体５Ａと、保持器本体５Ａの内外周縁にそれぞれ折り返し部５１Ｂ，５１Ｃを介して一体に形成された内外２つの折り返し片５Ｂ，５Ｃとを備え、内外２つの折り返し片５Ｂ，５Ｃは、折り返し部５１Ｂ，５１Ｃと反対側に先端部を延伸させることによりポケット５３の開口面５３ｄよりも突出する延伸部５２Ｂ，５２Ｃを有する。【選択図】図３
2014095458.tif 000002
【特許請求の範囲】
【請求項１】
所定の間隔をもって内外周で互いに並列する一対の円環部、及び前記一対の円環部を連結してその中心軸線の回りに並列する複数の連結部を有し、スラストころを転動可能に保持するポケットを前記一対の円環部及び前記複数の連結部によって形成してなる保持器本体と、
前記保持器本体の内周縁及び外周縁のうち少なくとも内周縁に折り返し部を介して一体に形成された折り返し片とを備え、
前記折り返し片は、前記折り返し部と反対側に先端部を延伸させることにより、前記ポケットの両開口面のうち前記折り返し部側の開口面と反対側の開口面よりも突出する延伸部を有する
ころ保持器。
【請求項２】
前記折り返し片は、前記折り返し部から前記延伸部の先端に向かうにつれて前記保持器本体から漸次離間する円錐形状である請求項１に記載のころ保持器。
【請求項３】
前記折り返し片は、前記延伸部を前記保持器本体側に折り曲げることにより前記保持器本体に当接する当接部を有する請求項２に記載のころ保持器。
【請求項４】
請求項１乃至３のいずれか１項に記載のころ保持器と、
前記ころ保持器を介して互いに対向し、前記スラストころを転動させる軌道面を有する一対の軌道輪と
を備えたスラストころ軸受。
【請求項５】
前記ころ保持器は、前記複数のスラストころで前記軌道面の面方向に案内される請求項４に記載のスラストころ軸受。
【発明の詳細な説明】
【技術分野】
【０００１】
本発明は、ころ保持器及びこれを備えたスラストころ軸受に関する。
【背景技術】
【０００２】
例えば、自動車のトルクコンバータやトランスミッションにおいて、偏心回転するシャフト（被支持部材）の回転支持部にはスラストころ軸受が用いられる。
【０００３】
従来、この種のスラストころ軸受には、軸線が放射状に配置された複数のスラストころと、複数のスラストころを転動可能に保持するころ保持器と、ころ保持器に保持された複数のスラストころを転動させる軌道面を有する一対の軌道輪とを備えたものがある（特許文献１）。
【０００４】
複数のスラストころは針状ころによって形成されている。ころ保持器は、一対の軌道輪間に介在して配置されている。一対の軌道輪のうち一方の軌道輪は固定側の軌道輪として、また他方の軌道輪は回転側の軌道輪としてそれぞれ構成されている。
【０００５】
このように構成されたスラストころ軸受においては、一対の軌道輪が相対回転すると、複数のスラストころが保持器に保持された状態で一対の軌道輪の軌道面上を転動する。
【先行技術文献】
【特許文献】
【０００６】
【特許文献１】特開２００３−８３３３９号公報
【発明の概要】
【発明が解決しようとする課題】
【０００７】
ところで、特許文献１に示すスラストころ軸受においては、その径方向の内部すきまよりも被支持部材（回転部材）の偏心量が大きい場合、被支持部材の回転中に図６に示すころ保持器２００が内輪と外輪（共に図示せず）との間に挟まれて径方向の負荷（荷重）Ｆ，Ｆ´を受けると、ころ保持器２００の各部位のうち一点鎖線Ａで示す部分が曲げ応力を受け易い。特に、ころ保持器２００においては、ころ保持用のポケット２０１からスラストころ２０２の脱落を防止するためのころ止め突起２０３とポケット２０１を形成する径方向内面２０１ａとの間に位置する部位（ポケット２０１の隅部）２０４が応力集中を受け易い。このため、ポケット２０１の隅部２０４の回りに荷重Ｆ，Ｆ´による曲げモーメントＭ，Ｍ´が作用し、隅部２０４がクラック等によって損傷する虞が生じることから、例えばころ保持器２００の厚さを大きくして損傷発生を防止する対策を講じることが行われる。
【０００８】
従って、本発明の目的は、ポケットにおける隅部の回りに作用する曲げモーメントを低減することができるころ保持器及びこれを備えたスラストころ軸受を提供することにある。
【課題を解決するための手段】
【０００９】
本発明は、上記目的を達成するために、（１）〜（５）のころ保持器及びこれを備えたスラストころ軸受を提供する。
【００１０】
（１）所定の間隔をもって内外周で互いに並列する一対の円環部、及び前記一対の円環部を連結してその中心軸線の回りに並列する複数の連結部を有し、スラストころを転動可能に保持するポケットを前記一対の円環部及び前記複数の連結部によって形成してなる保持器本体と、前記保持器本体の内周縁及び外周縁のうち少なくとも内周縁に折り返し部を介して一体に形成された折り返し片とを備え、前記折り返し片は、前記折り返し部と反対側に先端部を延伸させることにより、前記ポケットの両開口面のうち前記折り返し部側の開口面と反対側の開口面よりも突出する延伸部を有するころ保持器。
【００１１】
（２）上記（１）に記載のころ保持器において、前記折り返し片は、前記折り返し部から前記延伸部の先端に向かうにつれて前記保持器本体から漸次離間する円錐形状である。
【００１２】
（３）上記（２）に記載のころ保持器において、前記折り返し片は、前記延伸部を前記保持器本体側に折り曲げることにより前記保持器本体に当接する当接部を有する。
【００１３】
（４）上記（１）乃至（３）のいずれかに記載のころ保持器と、前記ころ保持器を介して互いに対向し、前記スラストころを転動させる軌道面を有する一対の軌道輪とを備えたスラストころ軸受。
【００１４】
（５）上記（４）に記載のスラストころ軸受において、前記ころ保持器は、前記複数のスラストころで前記軌道面の面方向に案内される。
【発明の効果】
【００１５】
本発明によると、ポケットの隅部に作用する曲げモーメントを低減することができる。
【図面の簡単な説明】
【００１６】
【図１】本発明の第１の実施の形態に係るスラストころ軸受の全体を説明するために示す断面図。
【図２】本発明の第１の実施の形態に係るスラストころ軸受のころ保持器によるころ保持状態を示す側面図。
【図３】本発明の第１の実施の形態に係るスラストころ軸受のころ保持器を説明するために示す断面図。
【図４】本発明の第２の実施の形態に係るスラストころ軸受のころ保持器を示し、（ａ）は全体断面図、（ｂ）及び（ｃ）は（ａ）の一部拡大図。
【図５】本発明の第２の実施の形態に係るスラストころ軸受のころ保持器の変形例を説明するために示す断面図。
【図６】従来のスラストころ軸受におけるころ保持器の不具合を説明するために示す断面図。
【発明を実施するための形態】
【００１７】
［第１の実施の形態］
以下、本発明の第１の実施の形態に係るスラストころ軸受について、図面を参照しながら詳細に説明する。
【００１８】
（スラストころ軸受の全体構成）
図１はスラストころ軸受を示す。図２はころ保持器によるころ保持状態を示す。図１及び図２に示すように、スラストころ軸受１は、一対の軌道輪２，３と、これら一対の軌道輪２，３間で転動する複数のスラストころ４と、これら複数のスラストころ４を転動可能に保持するころ保持器５とを備え、回転軸６の段差面６ａと固定用のハウジング（図示せず）との間に介在して配置されている。
【００１９】
回転軸６は、各外径が互いに異なる大小２つの胴部６ｂ，６ｃによって形成されている。段差面６ａは、大径の胴部６ｂと小径の胴部６ｃとの間に介在して配置されている。そして、回転軸６は中心軸線Ｏの回りに回転する。
【００２０】
（軌道輪２，３の構成）
一方の軌道輪２は、固定用のハウジング側で中心軸線Ｏ上に配置され、かつ固定用のハウジングに取り付けられ、全体が回転軸６における小径の胴部６ｃを挿通させて回転軸６の段差面６ａ側に開口する例えば薄肉鋼板からなる有底円筒部材によって形成されている。
【００２１】
一方の軌道輪２におけるころ側端面は、複数のスラストころ４を転動させる軌道面２ａで形成されている。一方の軌道輪２における外周縁には、軌道面２ａを立ち上がる円環状の立ち上がり部２ｂが設けられている。
【００２２】
他方の軌道輪３は、回転軸６の段差面６ａ側で中心軸線Ｏ上に配置され、かつ回転軸６における小径の胴部６ｃの外周面に取り付けられ、全体が回転軸６における小径の胴部６ｃを挿通させる例えば薄肉鋼板からなる円環部材によって形成されている。そして、他方の軌道輪３は回転軸６と共に回転する。
【００２３】
他方の軌道輪３におけるころ側端面は、一方の軌道輪２の軌道面２ａに対向し、かつ複数のスラストころ４を転動させる軌道面３ａで形成されている。他方の軌道輪３における内周縁には、一方の軌道輪２の立ち上がり部２ｂに対向し、かつ軌道面３ａを立ち上がる円環状の立ち上がり部３ｂが設けられている。
【００２４】
（複数のスラストころ４の構成）
複数のスラストころ４は、一方の軌道輪２の軌道面２ａと他方の軌道輪３の軌道面３ａとの間に介在して配置され、全体が軸線Ｌをもつ軸受鋼からなる例えば針状ころによって形成されている。そして、複数のスラストころ４は、軸線Ｌの回りに回転するとともに、ころ保持器５のポケット５３内で一方の軌道輪２の軌道面２ａ及び他方の軌道輪３の軌道面３ａ上を転動する。
【００２５】
（ころ保持器５の構成）
図３はころ保持器を示す。図２及び図３に示すように、ころ保持器５は、保持器本体５Ａ及び折り返し片５Ｂ，５Ｃからなり、一方の軌道輪２と他方の軌道輪３(共に図１に示す)との間に収容されている。ころ保持器５のガイド方式としてはころガイド方式が採用される。これにより、ころ保持器５は、複数のスラストころ４で軌道面２ａ，３ａ上を案内され、軌道輪２，３との干渉が回避される。
【００２６】
保持器本体５Ａは、一対の円環部５０，５１及び複数の連結部５２を有し、全体が回転軸６（図１に示す）の小径部６ｃ（図１に示す）を挿通させる例えば亜鉛鋼板のプレス成形体からなる断面略Ｍ形状の部分をもつ円環部材によって形成されている。
【００２７】
一対の円環部５０，５１は、所定の間隔をもってころ保持器５の内外周で互いに並列し、共通の中心軸線Ｏ（図１に示す）上に配置されている。一方の円環部５０はころ保持器５の内周側に、また他方の円環部５１はころ保持器５の外周側にそれぞれ配置されている。
【００２８】
複数の連結部５２は、中心軸線Ｏの回りに並列し、一対の円環部５０，５１間に介在して配置されている。そして、複数の連結部５２は、それぞれが内周縁及び外周縁に円弧状の輪郭をもって一対の円環部５０，５１を連結し、スラストころ４を転動可能に保持する複数のポケット５３を一対の円環部５０，５１と共に形成する。複数のポケット５３は、ころ保持器５の円周方向に等間隔で並列して配置されている。複数のポケット５３の形成は、例えばころ保持器５の素材におけるポケット形成部位に打ち抜き加工を施すことにより行われる。
【００２９】
複数の連結部５２には、それぞれポケット５３における周方向の一方側内面から他方側内面に向かって突出する複数（実施の形態では３個）のころ止め突起５２ａ〜５２ｃ、及びポケット５３における周方向の他方側内面から一方側内面に向かって突出する複数（実施の形態では３個）のころ止め突起５２ｄ〜５２ｆが一体に設けられている。
【００３０】
複数のころ止め突起５２ａ〜５２ｃのうちころ止め突起５２ａはポケット５３における径方向内側の内面５３ａに隣接して、ころ止め突起５２ｂはポケット５３における径方向外側の内面５３ｂに隣接して、またころ止め突起５２ｃは両ころ止め突起５２ａ，５２ｂ間に介在してそれぞれ配置されている。
【００３１】
同様に、複数のころ止め突起５２ｄ〜５２ｆのうちころ止め突起５２ｄはポケット５３における径方向内側の内面５３ａに隣接して、ころ止め突起５２ｅはポケット５３における径方向外側の内面５３ｂに隣接して、またころ止め突起５２ｆは両ころ止め突起５２ｄ，５２ｅ間に介在してそれぞれ配置されている。
【００３２】
一方（内側）の折り返し片５Ｂは、軌道輪３（図１に示す）における立ち上がり部３ｂ（図１に示す）の外周面に対向する内周面５０Ｂを有する円環部材からなり、保持器本体５Ａの内周囲に配置され、かつ保持器本体５Ａの内周縁に折り返しによって一体に形成されている。
【００３３】
一方の折り返し片５Ｂには、その折り返し部５１Ｂと反対側に先端部を延伸させることにより、ポケット５３の両開口面５３ｃ，５３ｄのうち折り返し部５１Ｂ側の開口面５３ｃと反対側の開口面５３ｄよりも寸法ｔだけ突出する延伸部５２Ｂが設けられている。これにより、ころ保持器５の各部位のうち応力集中を受け易い部位として、ポケット５３における内面５３ａの隅部５３０ａ，５３１ａのうち折り返し部５１Ｂ側の隅部５３０ａと反対側の隅部５３１ａに対しては、外向きの荷重Ｆ＝Ｆ１による時計回りの曲げモーメントＭ＝Ｍ１と外向きの荷重Ｆ´＝Ｆ２（｜Ｆ２｜＜｜Ｆ１｜）による反時計回りの曲げモーメントＭ´＝Ｍ２（｜Ｍ１｜＞｜Ｍ２｜）とが作用する。
【００３４】
他方（外側）の折り返し片５Ｃは、軌道輪２（図１に示す）における立ち上がり部２ｂ（図１に示す）の内周面に対向する外周面５０Ｃを有する円環部材からなり、保持器本体５Ａの外周囲に配置され、かつ保持器本体５Ａの外周縁に折り返しによって一体に形成されている。
【００３５】
他方の折り返し片５Ｃには、その折り返し部５１Ｃと反対側に先端部を延伸させることにより、ポケット５３の両開口面５３ｃ，５３ｄのうち折り返し部５１Ｃ側の開口面５３ｃと反対側の開口面５３ｄよりも寸法ｔだけ突出する延伸部５２Ｃが設けられている。これにより、ころ保持器５の各部位のうち応力集中を受け易い部位として、ポケット５３における内面５３ｂの隅部５３０ｂ，５３１ｂのうち折り返し部５１Ｃ側の隅部５３０ｂと反対側の隅部５３１ｂに対しては、内向きの荷重Ｆ´＝Ｆ３による反時計回りの曲げモーメントＭ´＝Ｍ３と内向きの荷重Ｆ＝Ｆ４（｜Ｆ４｜＜｜Ｆ３｜）による時計回りの曲げモーメントＭ＝Ｍ４（｜Ｍ３｜＞｜Ｍ４｜）とが作用する。
【００３６】
（スラストころ軸受１の動作）
本実施の形態においては、従来の場合と同様に、一対の軌道輪２，３が相対回転すると、複数のスラストころ４が保持器５に保持された状態で一対の軌道輪２，３の軌道面２ａ，３ａ上を転動する。この際、スラストころ軸受１では、回転軸６の偏心回転中に径方向の負荷（荷重）を受けても、ポケット５３の隅部５３１ａの時計回りに作用する曲げモーメントＭが、またポケット５３の隅部５３１ｂの反時計回りに作用する曲げモーメントＭ´が従来の場合と比べてそれぞれ低減される。
【００３７】
これは、ころ保持器５の各部位のうち応力集中を受け易い部位としてのポケット５３の隅部５３１ａに外向きの荷重Ｆ＝Ｆ１による時計回りの曲げモーメントＭ＝Ｍ１と外向きの荷重Ｆ´＝Ｆ２（｜Ｆ２｜＜｜Ｆ１｜）による反時計回りの曲げモーメントＭ´＝Ｍ２（｜Ｍ２｜＜｜Ｍ１｜）とが作用するため、曲げモーメントＭの一部が曲げモーメントＭ´に打ち消され、ポケット５３の隅部５３１ａの時計回りに作用する曲げモーメントＭがＭ＝｜Ｍ１｜−｜Ｍ２｜＞０となることによる。
【００３８】
同様に、ころ保持器５の各部位のうち応力集中を受け易い部位としてのポケット５３の隅部５３１ｂに内向きの荷重Ｆ´＝Ｆ３による反時計回りの曲げモーメントＭ´＝Ｍ３と内向きの荷重Ｆ＝Ｆ４（｜Ｆ４｜＜｜Ｆ３｜）による時計回りの曲げモーメントＭ＝Ｍ４（｜Ｍ４｜＜｜Ｍ３｜）とが作用するため、曲げモーメントＭの一部が曲げモーメントＭ´に打ち消され、ポケット５３の隅部５３１ｂの反時計回りに作用する曲げモーメントＭ´がＭ´＝｜Ｍ３｜−｜Ｍ４｜＞０となることによる。
【００３９】
［第１の実施の形態の効果］
以上説明した第１の実施の形態によれば、次に示す効果が得られる。
【００４０】
本実施の形態においては、ポケット５３の隅部５３１ａの回りに互いに打ち消し合う方向の曲げモーメントＭ，Ｍ´が、またポケット５３の隅部５３１ｂの回りに互いに打ち消し合う方向の曲げモーメントＭ，Ｍ´がそれぞれ作用するため、従来の場合と比べてポケット５３の隅部５３１ａ，５３１ｂの回りに作用する荷重Ｆ，Ｆ´による曲げモーメントＭ，Ｍ´をそれぞれ低減することができる。
【００４１】
［第２の実施の形態］
次に、本発明の第２実施の形態に係るころ保持器につき、図４を用いて説明する。図４はころ保持器を示し、（ａ）は全体断面図、（ｂ）及び（ｃ）は（ａ）の一部拡大図である。図４において、図３と同一又は同等の機能をもつ部材については同一の符号を付し、詳細な説明は省略する。
【００４２】
図４（ａ）に示すように、本発明の第２の実施の形態に係るころ保持器１００において、一方の折り返し片１０１は、折り返し部１０１ｂから延伸部１０１ａの先端として軌道輪３に接触する接触部１０１０ａに向かうにつれて中心軸線Ｏ（図１に示す）に漸次接近するテーパ、すなわち保持器本体５Ａから漸次離間するテーパをもつ略截頭円錐部材によって形成されている。接触部１０１０ａは、ポケット５３の両開口面５３ｃ，５３ｄのうち折り返し部１０１ｂ側の開口面５３ｃと反対側の開口面５３ｄを延長する仮想面Ｖ１上に配置されている。
【００４３】
他方の折り返し片１０２は、折り返し部１０２ｂから延伸部１０２ａの先端として軌道輪２に接触する接触部１０２０ａに向かうにつれて中心軸線Ｏから漸次離間するテーパ、すなわち保持器本体５Ａから漸次離間するテーパをもつ略截頭円錐部材によって形成されている。接触部１０２０ａは、ポケット５３の両開口面５３ｃ，５３ｄのうち折り返し部１０２ｂ側の開口面５３ｃと反対側の開口面５３ｄを延長する仮想面Ｖ２上に配置されている。
【００４４】
このように構成されたころ保持器１００においては、回転軸６（図１に示す）の偏心回転中に径方向の負荷（荷重Ｆ´）を延伸部１０１ａの接触部１０１０ａが受ける。この場合、ポケット５３の隅部５３１ａの反時計回りに作用する荷重Ｆ´＝Ｆ１による曲げモーメントＭ´＝Ｍ１は理論上ではＭ１＝０となる。これは、荷重Ｆ´の作用線がポケット５３の隅部５３１ａを通過するため、図４（ｃ）に示すように、曲げモーメントＭ´＝荷重（Ｆ´＝Ｆ１）×腕の長さ（Ｄ＝Ｄ１）のＤ１がＤ１＝０になることによる。同様に、ポケット５３の隅部５３１ｂの時計回りに作用する荷重Ｆ＝Ｆ２による曲げモーメントＭ＝Ｍ２は理論上ではＭ２＝０となる。これは、荷重Ｆの作用線がポケット５３の隅部５３１ｂを通過するため、図４（ｂ）に示すように、曲げモーメントＭ＝荷重（Ｆ＝Ｆ２）×腕の長さ（Ｄ＝Ｄ２）のＤ２がＤ２＝０になることによる。
【００４５】
［第２の実施の形態の効果］
以上説明した第２の実施の形態によれば、従来の場合と略同様の効果が得られる。すなわち、本実施の形態においては、ポケット５３の隅部５３１ａ，５３１ｂの回りに作用する曲げモーメントＭ´＝Ｍ１，Ｍ＝Ｍ２がＭ１，Ｍ２＝０となる。
【００４６】
なお、本実施の形態においては、折り返し片１０１，１０２が略截頭円錐部材によって形成されている場合について説明したが、本発明はこれに限定されず、図５に変形例として示すように折り返し片１０１，１０２（図５では折り返し片１０１のみ示す）に内外２つの角部ｃ，ｄをもって延伸部１０１ａを保持器本体５Ａ側に折り曲げることにより保持器本体５Ａに当接する当接部１０１ｃを設けてもよい。この場合、ポケット５３の両開口面５３ｃ，５３ｄのうち折り返し部１０１ｂ側の開口面５３ｃと反対側の開口面５３ｄを延長する仮想面Ｖ１上に外側の角部ｄが配置されている。
【００４７】
このように構成されたころ保持器１００においては、回転軸６（図１に示す）の偏心回転中に径方向の負荷（荷重Ｆ´＝Ｆ１）を外側の角部ｄが、また荷重Ｆ´＝Ｆ１の分力ｆ＝ｆ１を延伸部１０１ａの当接部１０１ｃで保持器本体５Ａがそれぞれ受ける。この場合、ポケット５３の隅部５３１ａの反時計回りに作用する荷重Ｆ´＝Ｆ１による曲げモーメントＭ´＝Ｍ１は理論上ではＭ１＝０となる。また、ポケット５３の隅部５３１ａの時計回りに作用する荷重ｆ＝ｆ１による曲げモーメントｍ＝ｍ１はｍ１≒０となる。
【００４８】
以上、本発明のころ保持器及びこれを備えたスラストころ軸受を上記実施の形態に基づいて説明したが、本発明は上記実施の形態に限定されるものではなく、その要旨を逸脱しない範囲で種々の態様において実施することが可能であり、例えば次に示すような変形も可能である。
【００４９】
（１）上記実施の形態では、保持器本体５Ａの内周縁に折り返し片５Ｂが、また保持器本体５Ａの外周縁に折り返し片５Ｃがそれぞれ一体に形成されている場合について説明したが、本発明はこれに限定されず、保持器本体の内周縁のみに折り返し片を一体に形成してもよい。すなわち要するに、本発明は、保持器本体の内周縁及び外周縁のうち少なくとも内周縁に折り返し片が一体に形成されていればよい。
【００５０】
（２）上記実施の形態では、一方の軌道輪２を固定し、他方の軌道輪３を回転させる場合について説明したが、本発明はこれに限定されず、一方の軌道輪を回転させ、他方の軌道輪を固定してもよい。
【００５１】
（３）上記実施の形態では、スラストころ４が針状ころである場合について説明したが、本発明はこれに限定されず、円筒ころなど他のころであっても勿論よい。
【符号の説明】
【００５２】
１…スラストころ軸受、２…軌道輪、２ａ…軌道面、２ｂ…立ち上がり部、３…軌道輪、３ａ…軌道面、３ｂ…立ち上がり部、４…スラストころ、５…ころ保持器、５０，５１…円環部、５２…連結部、５２ａ〜５２ｆ…ころ止め突起、５３…ポケット、５３ａ…内面、５３０ａ，５３１ａ…隅部、５３ｂ…内面、５３０ｂ，５３１ｂ…隅部、５３ｃ，５３ｄ…開口面、１００…ころ保持器、１０１…折り返し片、１０１ａ…延伸部、１０１０ａ…接触部、１０１ｂ…折り返し部、１０１ｃ…当接部、１０２…折り返し片、１０２ａ…延伸部、１０２０ａ…接触部、１０２ｂ…折り返し部、６…回転軸、６ａ…段差面、６ｂ…大径の胴部、６ｃ…小径の胴部、５Ａ…保持器本体、５Ｂ…折り返し片、５０Ｂ…内周面、５１Ｂ…折り返し部、５２Ｂ…延伸部、５Ｃ…折り返し片、５０Ｃ…外周面、５１Ｃ…折り返し部、５２Ｃ…延伸部、ｃ，ｄ…角部、２００…ころ保持器、２０１…ポケット、２０１ａ…径方向内面、２０２…スラストころ、２０３…ころ止め突起、２０４…隅部、Ａ…一点鎖線、Ｆ，Ｆ´，ｆ，ｆ´…荷重、Ｄ…腕の長さ、Ｍ，Ｍ´，ｍ…曲げモーメント、Ｌ…軸線、Ｏ…中心軸線、ｔ…寸法、ｖ１，ｖ２…仮想面
【図１】
2014095458.tif 000003
【図２】
2014095458.tif 000004
【図３】
2014095458.tif 000005
【図４】
2014095458.tif 000006
【図５】
2014095458.tif 000007
【図６】
2014095458.tif 000008